(57)【要約】【課題】本発明は、高い利便性を有する薬剤準備方法等を提供することを目的とする。【解決手段】薬剤払出装置準備薬剤４と処方箋シート１３と、をトレイ３に準備する薬剤払出装置工程（Ｓ１）と、医療従事者によって、非実装薬剤１５を手動にてトレイ３に準備する非実装薬剤取り揃え工程（Ｓ２）と、医療従事者によって、携帯端末２１を用いて、準備薬剤２０のうち、非実装薬剤１５のみと、処方箋シート１３に記述された非実装薬剤１５とを照合する非実装薬剤照合工程、もしくは、準備薬剤２０と処方箋薬剤１４とを照合する全薬剤照合工程、のどちらの工程を選択する照合選択工程（Ｓ３）と、その後、前記第２の医療従事者によって、前記携帯端末をもちいて、選択された前記非実装薬剤照合工程、もしくは前記全薬剤照合工程を実施する薬剤照合工程とを有する薬剤準備方法とした。【選択図】図９
2013196094.tif 000002
【特許請求の範囲】
【請求項１】
医師によって作成された患者毎の処方箋に基づいて、患者毎にトレイに、薬剤払出装置によって、前記処方箋に記載された処方箋薬剤の一部の薬剤を、薬剤払出装置準備薬剤
として準備し、更に、前記薬剤払出装置を用いて、前記処方箋薬剤の情報と、前記薬剤払出装置準備薬剤と前記薬剤払出装置にて準備さていない非実装薬剤とを識別する識別情報とが記載された処方箋シートと、を前記トレイに準備する薬剤払出装置工程と、
第１の医療従事者によって、前記非実装薬剤を、手動にて前記トレイに準備する非実装薬剤取り揃え工程と、
前記処方箋薬剤と前記トレイに収納された薬剤である準備薬剤、もしくは前記非実装薬剤との照合を行うとの照合を行う第２の医療従事者によって、携帯端末を用いて、前記準備薬剤のうち、前記非実装薬剤のみと、前記処方箋シートに記述された非実装薬剤とを照合する非実装薬剤照合工程、もしくは、前記準備薬剤と前記処方箋薬剤とを照合する全薬剤照合工程、のどちらの工程を選択する照合選択工程と、
その後、前記第２の医療従事者によって、前記携帯端末をもちいて、選択された前記非実装薬剤照合工程、もしくは前記全薬剤照合工程を実施する薬剤照合工程と、
その後、前記携帯端末の表示部に、前記非実装薬剤照合工程の照合結果である非実装薬剤照合結果、もしくは、前記全薬剤照合工程にて照合された全薬剤照合結果、を表示する薬剤照合結果表示工程と、
を含む薬剤準備方法。
【請求項２】
前記非実装薬剤照合結果は、薬剤の種類のみを照合する種別照合結果である請求項１に記載の薬剤準備方法。
【請求項３】
前記非実装薬剤照合結果は、薬剤の種類のみを照合する種別照合結果、及び薬剤の種類と数量を照合する完全照合結果である請求項１に記載の薬剤準備方法。
【請求項４】
前記全薬剤照合結果は、薬剤の種類のみを照合する種別照合結果である請求項１に記載の薬剤準備方法。
【請求項５】
前記全薬剤照合結果は、薬剤の種類のみを照合する種別照合結果、及び薬剤の種類と数量を照合する完全照合結果である請求項１に記載の薬剤準備方法。
【請求項６】
前記薬剤照合結果表示工程を実施した後、前記第２の医療従事者によって、前記第２の医療従事者を特定するための第２の医療従事者特定情報と、前記携帯端末を用いて、前記非実装薬剤照合結果、もしくは、前記全薬剤照合結果と、を、前記非実装薬剤照合結果、もしくは前記全薬剤照合結果を保存する薬剤管理ベータベースを管理する薬剤管理サーバに送信する薬剤照合結果送信工程と、
その後、前記管理サーバは、前記送信された第２の医療従事者特定情報と、前記携帯端末を用いて、前記非実装薬剤照合結果、もしくは、前記全薬剤照合結果と、を自動的に受信し、前記薬剤管理ベータベースを更新する薬剤管理ベータベース更新工程を含む請求項１〜５のいずれかに記載の薬剤準備方法。
【請求項７】
医師によって作成された患者毎の処方箋に基づいて、患者毎にトレイに、薬剤払出装置によって、前記処方箋に記載された処方箋薬剤の一部の薬剤を、薬剤払出装置準備薬剤
として準備され、
更に、前記薬剤払出装置を用いて、前記処方箋薬剤の情報と、前記薬剤払出装置準備薬剤と前記薬剤払出装置にて準備さていない非実装薬剤とを識別する識別情報とが記載された処方箋シートが、前記トレイに準備され、
更に、第１の医療従事者によって、前記非実装薬剤を、手動にて前記トレイに準備され、
前記処方箋薬剤の情報と、前記トレイに準備された全ての薬剤である準備薬剤の情報との照合を行う携帯端末において、
表示部と、
前記処方箋薬剤と前記準備薬剤との照合を行う第２の医療従事者を特定するための第２者医療従事者特定情報を入力する入力手段と、
前記処方箋シート上に備えられた処方箋識別ラベルから、前記処方箋を特定するための情報である処方箋特定情報を読み取る処方箋情報読み取り手段と、
前記準備薬剤上に備えられた前記準備薬剤の種類を識別可能な薬剤照合ラベルから、各々の前記薬剤の情報を読み取る薬剤照合ラベル読み取り手段と、
前記第３の医療従事者特定情報と、前記処方箋特定情報と、を、外部に送信する薬剤照合前情報送信手段と、
前記処方箋薬剤の情報を、外部から受信する処方箋薬剤情報受信手段と、
前記準備薬剤のうち、前記非実装薬剤のみと、前記処方箋シートに記述された非実装薬剤とを照合する非実装薬剤照合工程、もしくは、前記準備薬剤と前記処方箋薬剤とを照合する全薬剤照合工程、のどちらの工程を選択する照合選択を行い、更に、前記処方箋薬剤の情報と前記薬剤の情報との照合を行い、更に、前記表示部に、前記非実装薬剤照合工程の照合結果である非実装薬剤照合結果、もしくは、前記全薬剤照合工程にて照合された全薬剤照合結果、のどちらかを表示をさせる制御部と、
を備える携帯端末。
【請求項８】
前記非実装薬剤照合結果は、薬剤の種類のみを照合する種別照合結果である請求項７に記載の携帯端末。
【請求項９】
前記非実装薬剤照合結果は、薬剤の種類のみを照合する種別照合結果、及び薬剤の種類と数量を照合する完全照合結果である請求項７に記載の携帯端末。
【請求項１０】
前記全薬剤照合結果は、薬剤の種類のみを照合する種別照合結果である請求項７に記載の携帯端末。
【請求項１１】
前記全薬剤照合結果は、薬剤の種類のみを照合する種別照合結果、及び薬剤の種類と数量を照合する完全照合結果である請求項７に記載の携帯端末。
【請求項１２】
前記第２者医療従事者特定情報と、前記非実装薬剤照合結果、もしくは、前記全薬剤照合結果と、を、外部に送信する薬剤照合後情報送信手段と、
を備えた請求項７〜１１のいずれかに記載の携帯端末。
【請求項１３】
医師によって作成された患者毎の処方箋における薬剤である処方箋薬剤の情報と、
前記処方箋に基づいて、患者毎にトレイに、薬剤払出装置によって、準備された薬剤払出装置準備薬剤の情報と、
前記処方箋に基づいて、前記トレイに、第１の医療従事者によって、手動にて取り揃えられた未実装準備薬剤の情報と、
を含む薬剤管理データベースにおいて、
前記処方箋を特定するための処方箋特定情報と、
前記処方箋薬剤が投与される前記患者を特定するための患者特定情報と、
前記処方箋薬剤の種類と数量の情報と、
前記処方箋薬剤と前記トレイに収納されている薬剤である準備薬剤との照合を行う第２の医療従事者を特定する第２の医療従事者特定情報と、
前記処方箋薬剤と前記トレイに収納されている薬剤である準備薬剤との照合結果である薬剤照合情報と、
を備えた薬剤管理データベース。
【請求項１４】
医師によって作成された患者毎の処方箋に基づいて、患者毎にトレイに、薬剤払出装置によって、前記処方箋に記載された処方箋薬剤の一部の薬剤を、薬剤払出装置準備薬剤として準備し、更に、前記薬剤払出装置を用いて、前記処方箋薬剤の情報と、前記薬剤払出装置準備薬剤と前記薬剤払出装置にて準備さていない非実装薬剤とを識別する識別情報とが記載された処方箋シートと、を前記トレイに準備し、
その後、第１の医療従事者によって、前記非実装薬剤を、手動にて前記トレイに準備することを含む薬剤準備システムに用いられる薬剤管理サーバにおいて、
請求項１３に記載の薬剤管理データベースを記憶部に保管した薬剤管理サーバ。
【請求項１５】
医師によって作成された患者毎の処方箋に基づいて、患者毎にトレイに、薬剤払出装置によって、前記処方箋に記載された処方箋薬剤の一部の薬剤を、薬剤払出装置準備薬剤として準備し、更に、前記薬剤払出装置を用いて、前記処方箋薬剤の情報と、前記薬剤払出装置準備薬剤と前記薬剤払出装置にて準備さていない非実装薬剤とを識別する識別情報とが記載された処方箋シートと、を前記トレイに準備し、
その後、第１の医療従事者によって、前記非実装薬剤を、手動にて前記トレイに準備することを含む薬剤準備システムに用いられる端末装置において、
表示部と、
請求項４に記載の薬剤管理データベースにアクセス可能となるように接続され、前記薬剤管理データベースの情報を、前記表示部に表示する制御部と、
を備えた端末装置。
【請求項１６】
前記表示部に表示された前記薬剤管理データベースの情報のうち、前記処方箋特定情報を入力する入力手段を設け、
前記制御部は、前記入力された前記処方箋特定情報に基づいて、
前記入力された処方箋特定情報と、
前記患者特定情報と、
前記処方箋薬剤の種類と数量の情報と、
前記処方箋薬剤と前記トレイに収納されている薬剤である準備薬剤との照合結果である薬剤照合情報と、
を表示する請求項１５に記載の端末装置。
【発明の詳細な説明】
【技術分野】
【０００１】
本発明は、病院などにおいて、医師によって作成された患者毎の処方箋に基づいて、薬剤を準備する薬剤準備方法、及びその薬剤準備方法を実施するための携帯端末、端末装置、薬剤管理データベース、薬剤管理サーバに関するものである。
【背景技術】
【０００２】
現在、病院においては、医師によって作成された患者毎の処方箋に基づいて、患者毎の薬剤を準備する際、前記処方箋に記載された処方箋薬剤の一部の薬剤が薬剤払出装置によって、患者毎のトレイに自動的に準備され（以下、この薬剤払出装置によって準備された薬剤を薬剤払出装置準備薬剤と表記する）、更に、前記薬剤払出装置にて準備さていない薬剤（以下、この前記薬剤払出装置にて準備さていない薬剤を非実装薬剤と表記する）を、医療従事者（第１の医療従事者の一例）によって、前記非実装薬剤を、手動にて前記トレイに準備（以下、手動にて準備された非実装薬剤を未実装準備薬剤と表記する）される。その後、そのトレイ上に準備された薬剤（すなわち、薬剤払出装置準備薬剤と未実装準備薬剤とが合わさったものである。以下、これら薬剤を準備薬剤と表記する）は、処方箋に記述された薬剤（以下、処方箋薬剤と記述する）と一致しているかどうかが照合される。  更にその後、その準備薬剤は、患者に投与されている（例えば特許文献１参照）。
【先行技術文献】
【特許文献】
【０００３】
【特許文献１】特開２００２−０９２１６５号公報
【発明の概要】
【発明が解決しようとする課題】
【０００４】
前記従来の薬剤準備方法においては、前記準備薬剤の各々には、他のトレイの薬剤と識別可能な照合情報をバーコードの形態で印字した照合ラベルが貼られており、その他のトレイの薬剤と識別可能な照合ラベルを用いて、前記準備薬剤の情報と処方箋薬剤の照合することによって、他のトレイに入れられた準備薬剤を間違えて取り出してしまうことを防止する、すなわち、薬剤リスクマネージを行うことができるシステムであり、その点で高く評価されるものであった。
【０００５】
しかしながら、その準備薬剤の一部である薬剤払出装置準備薬剤は、薬剤払出装置によって、自動的に患者毎にトレイ上に準備されるのにも関わらず、全ての前記準備薬剤と、前記処方箋薬剤とを照合していたために、非常に沢山の、かつ重要である業務を行わなければならない医療従事者にとって、非常に使い勝手の悪いものであった。
【０００６】
そこで、本発明は、高いレベルでの薬剤リスクマネージメントが行え、かつ、高い利便性を有する薬剤準備方法を提供することを目的とするものである。
【課題を解決するための手段】
【０００７】
そしてこの目的を達成するために本発明は、医師によって作成された患者毎の処方箋に基づいて、患者毎にトレイに、薬剤払出装置によって、前記処方箋に記載された処方箋薬剤の一部の薬剤を、薬剤払出装置準備薬剤として準備し、更に、前記薬剤払出装置を用いて、前記処方箋薬剤の情報と、前記薬剤払出装置準備薬剤と前記薬剤払出装置にて準備さていない非実装薬剤とを識別する識別情報とが記載された処方箋シートと、を前記トレイに準備する薬剤払出装置工程と、第１の医療従事者によって、前記非実装薬剤を、手動にて前記トレイに準備する非実装薬剤取り揃え工程と、前記処方箋薬剤と前記トレイに収納された薬剤である準備薬剤、もしくは前記非実装薬剤との照合を行うとの照合を行う第２の医療従事者によって、携帯端末を用いて、前記準備薬剤のうち、前記非実装薬剤のみと、前記処方箋シートに記述された非実装薬剤とを照合する非実装薬剤照合工程、もしくは、前記準備薬剤と前記処方箋薬剤とを照合する全薬剤照合工程、のどちらの工程を選択する照合選択工程と、その後、前記第２の医療従事者によって、前記携帯端末をもちいて、選択された前記非実装薬剤照合工程、もしくは前記全薬剤照合工程を実施する薬剤照合工程と、その後、前記携帯端末の表示部に、前記非実装薬剤照合工程の照合結果である非実装薬剤照合結果、もしくは、前記全薬剤照合工程にて照合された全薬剤照合結果、を表示する薬剤照合結果表示工程と、を含む薬剤準備方法とした。
【０００８】
これにより、所期の目的を達成するものである。
【発明の効果】
【０００９】
以上のように本発明は、医師によって作成された患者毎の処方箋に基づいて、患者毎にトレイに、薬剤払出装置によって、前記処方箋に記載された処方箋薬剤の一部の薬剤を、薬剤払出装置準備薬剤として準備し、更に、前記薬剤払出装置を用いて、前記処方箋薬剤の情報と、前記薬剤払出装置準備薬剤と前記薬剤払出装置にて準備さていない非実装薬剤とを識別する識別情報とが記載された処方箋シートと、を前記トレイに準備する薬剤払出装置工程と、第１の医療従事者によって、前記非実装薬剤を、手動にて前記トレイに準備する非実装薬剤取り揃え工程と、前記処方箋薬剤と前記トレイに収納された薬剤である準備薬剤、もしくは前記非実装薬剤との照合を行うとの照合を行う第２の医療従事者によって、携帯端末を用いて、前記準備薬剤のうち、前記非実装薬剤のみと、前記処方箋シートに記述された非実装薬剤とを照合する非実装薬剤照合工程、もしくは、前記準備薬剤と前記処方箋薬剤とを照合する全薬剤照合工程、のどちらの工程を選択する照合選択工程と、その後、前記第２の医療従事者によって、前記携帯端末をもちいて、選択された前記非実装薬剤照合工程、もしくは前記全薬剤照合工程を実施する薬剤照合工程と、その後、前記携帯端末の表示部に、前記非実装薬剤照合工程の照合結果である非実装薬剤照合結果、もしくは、前記全薬剤照合工程にて照合された全薬剤照合結果、を表示する薬剤照合結果表示工程と、を含む薬剤準備方法であるので、高いレベルでの薬剤リスクマネージメントが行え、かつ、高い利便性を有する薬剤準備方法を提供することができる。
【００１０】
すなわち、本発明においては、前記処方箋薬剤と前記準備薬剤との照合を行う医療従事者（第２の医療従事者の一例）によって、前記準備薬剤のうち、前記未実装準備薬剤のみと、前記処方箋シートに記述された非実装薬剤とを照合する非実装薬剤照合工程、もしくは、前記準備薬剤と前記処方箋薬剤とを照合する全薬剤照合工程、のどちらの工程を実施するのかを選択することができるので、その非実装薬剤照合工程を選択することができるので、例えば、医療従事者の経験年数等を考慮した上で、全ての前記準備薬剤と前記処方箋薬剤とを照合するのか、あるいは手動で取り揃えられた未実装準備薬剤のみとを照合するのかを、医療従事者毎に決定することができるようになり、その結果として、高いレベルでの薬剤リスクマネージメントができ、かつ医療従事者の負担軽減も図ることができる。
【００１１】
すなわち、高いレベルでの薬剤リスクマネージメントが行え、かつ、高い利便性を有する薬剤準備方法を提供することができるのである。
【図面の簡単な説明】
【００１２】
【図１】本発明の実施の形態１における薬剤準備システムの概略図
【図２】本発明の実施の形態１における処方箋シートの正面図
【図３】本発明の実施の形態１における薬剤払出装置準備薬剤と非実装薬剤の正面図を示すものであり、図３（ａ）は、薬剤払出装置準備薬剤の正面図、図３（ｂ）は、非実装薬剤の正面図
【図４】本発明の実施の形態１における携帯端末２１の正面図を示すものである。また、
【図５】本発明の実施の形態１における携帯端末２１のブロック図
【図６】本発明の実施の形態１における薬剤管理サーバ１８のブロック図
【図７】本発明の実施の形態１における端末装置のブロック図
【図８】本実施の形態１における端末装置の表示部に表示された薬剤管理データベースの一覧表の一例を示す図
【図９】本発明の実施の形態１における薬剤準備方法を説明するフローチャート
【図１０】本発明の実施の形態１における照合選択工程の携帯端末の表示部の表示内容を説明する図
【図１１】本発明の実施の形態１における薬剤準備方法の非実装薬剤照合工程における処方箋薬剤の情報を受信後の携帯端末２１の表示部２５の表示内容の一例を説明する図
【図１２】本発明の実施の形態１における薬剤準備方法の全薬剤照合工程における処方箋薬剤の情報を受信後の携帯端末２１の表示部２５の表示内容の一例を説明する図
【図１３】本発明の実施の形態１における端末装置の表示部に更新前（薬剤照合前）の薬剤管理ベータベースを表示させた内容の一例を説明する図
【図１４】本発明の実施の形態１における端末装置の表示部に更新後（薬剤照合後）の薬剤管理ベータベースを表示させた内容の一例を説明する図
【図１５】本発明の実施の形態１における端末装置の表示部に表示された薬剤管理データベースの情報のうち、図１４中のＦの領域をクリックした場合の端末装置の表示部に表示される内容を説明する図
【発明を実施するための形態】
【００１３】
以下、本発明の一実施形態を、図面とともに詳細に説明する。
【００１４】
（実施の形態１）
［１］薬剤準備システムの構成、及び処方箋シートの構成
まずはじめに、図１、図２を用いて、本実施形態の薬剤準備システム、及び処方箋シートに関して説明する。
【００１５】
図１は、本発明の実施の形態１における薬剤準備システムの概略図を示すものである。また、図２は、本発明の実施の形態１における処方箋シートの正面図を示すものである。
図１にしめすように、病院１の薬剤部２には、患者毎にトレイ３に、医師によって作成された患者毎の処方箋に記載された処方箋薬剤の一部の薬剤４（以下、薬剤払出装置準備薬剤４と表記する）を自動で選択し、このトレイ３に準備する薬剤払出装置５が設けられている。
【００１６】
また、図１、図２にしめすように、このトレイ３には、薬剤払出装置５を用いて、どの患者のものであるか等を識別するために、例えば、患者の名前６、性別７、年齢８、患者ＩＤ９、病棟１０、病室１１、日付１２等などが記載された処方箋シート１３が準備される。本実施形態における処方箋シート１３には、処方箋に記載された薬剤である処方箋薬剤１４と、前述の薬剤払出装置準備薬剤４と前記薬剤払出装置にて準備さていない非実装薬剤１５とを識別する識別情報１６（図２中に図示）と、その処方箋を特定するための情報である処方箋特定情報を識別する処方箋識別ラベル２７とが記載されている。
【００１７】
また、図１中の点線の矢印で示すように、診察室１７で医者によって作成された処方箋データは、端末装置１９によって入力され、一旦、薬剤管理サーバ１８に保管される。その後、薬剤管理サーバ１８は、前述の処方箋データ中の処方箋薬剤１４から、薬剤払出装置準備薬剤４と、非実装薬剤１５の２種類に自動的に分別する。例えば、点滴バック等体積が大きい薬剤は、薬剤払出装置５にて準備するのには適さない（なぜなら、体積が大きい薬剤は、薬剤払出装置５内に蓄積する薬剤の数が非常に少なくなり、すぐに薬剤を薬剤払出装置５内に充填する必要があり、その結果として、薬剤払出装置５の利便性が低下するためです）ため、そのような薬剤は、薬剤払出装置準備薬剤４ではなく、非実装薬剤１５として、医療従事者（以下、第１の医療従事者の一例）によって、手動で準備する。
また、図１にしめすごとく、薬剤払出装置準備薬剤４と、非実装薬剤１５の２種類に分別された情報を含む処方箋データは、薬剤払出装置５の処方箋出力手段（図示なし）によって、前述のように患者の名前６、性別７、年齢８、患者ＩＤ９、病棟１０、病室１１、日付１２、処方箋薬剤１４、識別情報１６、処方箋識別ラベル２７等が記載された処方箋シート１３が、そのトレイ３に準備される。
【００１８】
また、本実施形態においては、図１にしめすように、トレイ３上に、薬剤払出装置５によって、薬剤払出装置準備薬剤４と、処方箋シート１３とが準備された後、医療従事者は、処方箋シート１３の識別情報１６に基づいて、非実装薬剤１５を、そのトレイ３上に準備する（以下、トレイ３上に準備された薬剤払出装置準備薬剤４と、非実装薬剤１５との両者を合わせて準備薬剤２０と表記する）。
【００１９】
また、本実施形態においては、図１にしめすように、準備薬剤２０が準備されたトレイ３は、その後、詳しくは口実にて説明するが、薬剤部２の監査課において、医療従事者（第２の医療従事者の一例）によって、携帯端末２１を用いて、トレイ３上の準備薬剤２０、もしくはトレイ３上の非実装薬剤１５のみが、正しい薬剤であるかどうかの薬剤照合が行われる。その後、薬剤照合の後、このトレイ３は、病棟１０の病室１１に運ばれ、患者に投与される。
【００２０】
また、本実施形態においては、図１に示すように、薬剤管理サーバ１８には、端末装置２２が接続されており、後述にて詳しく説明するが、この端末装置２２を操作することによって、薬剤管理サーバ１８内に薬剤管理データベース２３（図６中に図示）を閲覧可能となっている。
【００２１】
以上が、本実施形態における病院における薬剤管理システムに関する説明である。
【００２２】
［２］薬剤払出装置準備薬剤４、非実装薬剤１５の構成
次に、本実施形態における薬剤払出装置準備薬剤４、非実装薬剤１５に関して説明する。
【００２３】
図３は、本発明の実施の形態１における薬剤払出装置準備薬剤と非実装薬剤の正面図を示すものであり、図３（ａ）は、薬剤払出装置準備薬剤の正面図、図３（ｂ）は、非実装薬剤の正面図を示すものである。図３（ａ）、図３（ｂ）に示すように、薬剤払出装置準備薬剤４上、及び非実装薬剤１５には、その薬剤の種類を識別可能な薬剤照合ラベル２４が備えられている。本実施形態における薬剤照合ラベル２４として、バーコード照合ラベルを用いた。
【００２４】
以上が、本実施形態における薬剤払出装置準備薬剤４、非実装薬剤１５の構成に関する説明である。
【００２５】
［３］携帯端末２１の構成
次に、本実施形態における携帯端末２１に関して説明する。
【００２６】
図４は、本発明の実施の形態１における携帯端末２１の正面図を示すものである。また、図５は、本発明の実施の形態１における携帯端末２１のブロック図を示すものである。
【００２７】
本実施形態における携帯端末２１は、図４、図５に示すように、表示部２５と、その表示部を駆動する表示部駆動部３２（図５中に図示）と、処方箋薬剤１４と、準備薬剤２０、もしくは非実装薬剤１５との照合を行う医療従事者（第２の医療従事者の一例）を特定するための医療従事者特定情報を入力する入力部２６（入力手段の一例）と、処方箋シート１３上に備えられた処方箋識別ラベル２７から、前記処方箋を特定するための情報である処方箋特定情報を読み取るバーコードリーダ２８（処方箋情報読み取り手段の一例）と、準備薬剤２０、もしくは非実装薬剤１５上に備えられた薬剤の種類を識別可能な薬剤照合ラベル２４から、各々の前記薬剤の情報を読み取るバーコードリーダ２８（薬剤照合ラベル読み取り手段の一例）と、医療従事者特定情報と、処方箋特定情報と、を外部（本実施形態においては、図１に図示している薬剤管理サーバ１８）に送信する送信部３０（薬剤照合前情報送信手段の一例）と、処方箋薬剤の情報を、外部（本実施形態においては、図１に図示している薬剤管理サーバ１８）から受信する受信部３１（処方箋薬剤情報受信手段の一例）と、バーコードリーダ２８、入力部２６、送信部３０（図５に図示）、受信部３１（図５に図示）、表示部駆動部３２と接続され、それらを制御する制御部３３を備えている。
【００２８】
また、制御部３３には、記憶部３４が備えられており、準備薬剤２０のうち、非実装薬剤１５のみと、処方箋シート１３に記述された非実装薬剤とを照合する、もしくは、準備薬剤２０と処方箋薬剤とを照合する、のどちらを実行する照合選択動作と、非実装薬剤１５のみと、処方箋シート１３に記述された非実装薬剤とを照合する、もしくは、準備薬剤２０と処方箋薬剤とを照合する、のどちらかを実施する薬剤照合動作と、前記表示部に、前記非実装薬剤１５のみと、処方箋シート１３に記述された非実装薬剤とを照合した結果である非実装薬剤照合結果、もしくは、準備薬剤２０と処方箋薬剤とを照合した結果である全薬剤照合結果、のどちらかを表示をさせる薬剤照合結果表示動作とを行うための行うためのプログラムが保存されている。
【００２９】
また、本実施形態における携帯端末２１は、薬剤照合結果表示動作後に、第３者医療従事者特定情報と、非実装薬剤照合結果、もしくは、全薬剤照合結果と、を外部（本実施形態においては、図１に図示している薬剤管理サーバ１８）に送信する送信部３０（薬剤照合後情報送信手段の一例）を備えており、制御部３３によって、この動作（薬剤照合後情報送信動作）を行うためのプログラムが、前述の記憶部３４に保存されている。
なお、これら照合選択動作、薬剤照合動作、薬剤照合結果表示動作、薬剤照合後情報送信動作に関しては、後述にて詳しく説明する。
【００３０】
以上が、本実施形態における携帯端末２１の構成に関する説明である。
【００３１】
［４］薬剤管理サーバ１８の構成
次に、本実施形態における薬剤管理サーバ１８に関して説明する。
【００３２】
図６は、本発明の実施の形態１における薬剤管理サーバ１８のブロック図を示すものである。
【００３３】
本実施形態における薬剤管理サーバ１８は、図６に示すように、薬剤管理サーバ１８全体を制御する制御部３５と、この制御部３５に接続され、薬剤管理データベース２３を保存する保管部３６と、制御部３５に接続され、外部（本実施形態においては、携帯端末２１や端末装置２２）と情報の入出力が可能である送受信部３７を備えている。このように構成することによって、薬剤管理サーバ１８の制御部３５は、携帯端末２１から受信した情報を基づいて、保管部３６の薬剤管理データベース２３内のデータを更新したり、端末装置２２に対し、薬剤管理データベース２３の情報を送信したりすることができる。
【００３４】
以上が、本実施形態における携帯端末２１の構成に関する説明である。
【００３５】
［５］端末装置２２、薬剤管理データベース２３の構成
次に、本実施形態における薬剤管理サーバ１８に関して説明する。
【００３６】
図７は、本発明の実施の形態１における端末装置のブロック図を示すものである。また、図８は、本実施の形態１における端末装置の表示部に表示された薬剤管理データベースの一覧表の一例を示すものである。
【００３７】
本実施形態における端末装置２２は、図７に示すように、表示部３８と、その表示部３８を駆動する表示部駆動部３９と、前述の薬剤管理サーバ１８の保管部３６に保存された薬剤管理データベース２３にアクセス可能となるように接続され、薬剤管理サーバ１８と情報の入出力が可能である送受信部４０と、この送受信部４０に接続され、薬剤管理データベース２３から受信した情報を、表示部駆動部３９を駆動することによって、表示部３８に表示する制御部４１を備えている。
【００３８】
更に、本実施形態においては、図８に示すように、表示部３８に表示された薬剤管理データベース２３の情報のうち、処方箋特定情報を入力する入力部４２（入力手段の一例）を設け、この制御部４１は、入力された処方箋特定情報に基づいて、この入力された処方箋特定情報４３と、患者特定情報４４と、処方箋薬剤の名称４５と、その処方箋薬剤の名称４５に対応する数量と、非実装薬剤照合結果、もしくは、全薬剤照合結果である薬剤照合情報４８とを表示できるように制御している。この制御に関しては、後ほど詳しく説明する。
【００３９】
以上が、本実施形態における端末装置２２、薬剤管理データベース２３の構成に関する説明である。
【００４０】
［６］本実施形態における薬剤準備方法
次に、本実施形態における薬剤準備方法に関して説明する。
図９は、本発明の実施の形態１における薬剤準備方法を説明するフローチャートを示すものである。
【００４１】
図９に示すように、本実施形態における薬剤準備方法は、大きく分けて、以下の（１）〜（８）の順序にて実施される、５つの工程から構成されるものである。
【００４２】
（１）薬剤払出装置工程：Ｓ１
（２）非実装薬剤取り揃え工程：Ｓ２
（３）照合選択工程：Ｓ３
（４）医療従事者特定情報入力工程：Ｓ４
（５）薬剤照合工程：Ｓ５
（６）薬剤照合結果表示工程：Ｓ６
（７）薬剤照合結果送信工程：Ｓ７
（８）薬剤管理ベータベース更新工程：Ｓ８
以下に、この（１）〜（８）の工程に関し、その詳細を説明する。
【００４３】
［６］―（１）薬剤払出装置工程：Ｓ１
まずはじめに、ステップ１の薬剤払出装置工程：Ｓ１に関して説明する。
【００４４】
ステップ１の薬剤払出装置工程：Ｓ２は、医師によって作成された患者毎の処方箋に基づいて、患者毎にトレイ３に、薬剤払出装置５によって、処方箋に記載された処方箋薬剤の一部の薬剤（すなわち、薬剤払出装置準備薬剤４）を準備するとともに、薬剤払出装置５を用いて、処方箋薬剤の情報と、薬剤払出装置準備薬剤４と薬剤払出装置５にて準備さていない非実装薬剤１５とを識別する識別情報１６とが記載された処方箋シート１３と、をトレイ３に準備する工程である。
【００４５】
以上が、本実施形態の薬剤移送方法のステップ１の薬剤払出装置工程：Ｓ１である。
【００４６】
［６］−（２）非実装薬剤取り揃え工程：Ｓ２
次に、ステップ２の非実装薬剤取り揃え工程：Ｓ２に関して説明する。
【００４７】
ステップ２の薬剤移送工程：Ｓ２は、医療従事者によって、非実装薬剤１５を、手動にてトレイ３に準備する工程である。
【００４８】
以上が、本実施形態の薬剤準備方法のステップ２の非実装薬剤取り揃え工程：Ｓ２である。
【００４９】
［６］−（３）照合選択工程：Ｓ３
次に、ステップ３の照合選択工程：Ｓ３に関して説明する。
【００５０】
ステップ３の照合選択工程：Ｓ３は、処方箋薬剤とトレイ３に収納された薬剤である準備薬剤２０、もしくは非実装薬剤１５との照合を行う医療従事者によって、携帯端末２１を用いて、準備薬剤２０のうち、非実装薬剤１５のみと、処方箋シート１３に記述された非実装薬剤１５とを照合する非実装薬剤照合工程、もしくは、準備薬剤２０と処方箋薬剤とを照合する全薬剤照合工程、のどちらの工程を選択する工程である。
【００５１】
図１０は、本発明の実施の形態１における照合選択工程の携帯端末２１の表示部２５
の表示内容を説明する図を示すものである。図１０にしめすように、本実施形態の表示部２５は、「５．注射箋薬品照合（非実装）」４９（非実装薬剤照合工程を選択する表示の一例）と、「６．注射箋薬品照合（全薬品）」５０（全薬剤照合工程を選択する表示の一例）が表示されており、このどちらかを選択することにより、非実装薬剤照合工程を実施するのか、もしくは、全薬剤照合工程を実施するのかを、医療従事者によって選択することができる。
【００５２】
以上が、本実施形態の薬剤準備方法のステップ３の照合選択工程：Ｓ３である。
【００５３】
［６］−（４）医療従事者特定情報入力工程：Ｓ４
次に、ステップ４の医療従事者特定情報入力工程：Ｓ４に関して説明する。
【００５４】
ステップ４の医療従事者特定情報入力工程：Ｓ４は、医療従事者によって、携帯端末２１に、医療従事者を特定するための医療従事者特定情報を入力する工程である。本実施形態においては、携帯端末２１の入力部２６によって、医療従事者特定情報として、予め、その医療従事者に付与されているＩＤを入力する。
【００５５】
以上が、本実施形態の薬剤準備方法のステップ４の医療従事者特定情報入力工程：Ｓ４である。
【００５６】
［６］−（５）薬剤照合工程：Ｓ５、および［６］―（６）薬剤照合結果表示工程：Ｓ６
次に、ステップ５の薬剤照合工程：Ｓ５と、ステップ６の薬剤照合結果表示工程：Ｓ６に関して説明する。
【００５７】
ステップ５の薬剤照合工程：Ｓ５は、前記第２の医療従事者によって、前記携帯端末をもちいて、選択された（Ａ）非実装薬剤照合工程、もしくは（Ｂ）全薬剤照合工程を実施する工程である。
【００５８】
それでは、まず、（Ａ）非実装薬剤照合工程に関して説明する。
【００５９】
ステップ３の照合選択工程：Ｓ３にて、（Ａ）非実装薬剤照合工程が選択された場合、医療従事者は、まず、携帯端末２１のバーコードリーダ２８によって、処方箋シート１３上に備えられた処方箋識別ラベル２７から、処方箋を特定するための情報である処方箋特定情報を読み取る。その後、携帯端末２１の制御部３３は、送信部３０より、この処方箋特定情報を薬剤管理サーバ１８へ、自動的に送信する。その後、薬剤管理サーバ１８の制御部３５は、自動的に、薬剤管理データベース２３にアクセスをして、受信した処方箋特定情報に基づいて、処方箋薬剤のうち非実装薬剤１５に対応した処方箋薬剤の情報（名称と、それに対応した数量）を検索する。その後、薬剤管理サーバ１８の制御部３５は、自動的に、その処方箋薬剤のうち非実装薬剤１５に対応した処方箋薬剤の情報を携帯端末２１へ送信する。すると、携帯端末２１の制御部３３は、表示部２５上に処方箋薬剤の情報を表示する。
【００６０】
図１１は、本発明の実施の形態１における薬剤準備方法の非実装薬剤照合工程における処方箋薬剤の情報を受信後の携帯端末２１の表示部２５の表示内容の一例を説明する図である。図１１に示すように、携帯端末２１の表示部２５には、処方箋薬剤のうち非実装薬剤１５に対応した処方箋薬剤の情報５１が表示される。
【００６１】
次に、医療従事者は、まず、携帯端末２１のバーコードリーダ２８によって、非実装薬剤１５の薬剤照合ラベル２４を読み取り、その読み取られた薬剤照合ラベル２４から、その薬剤照合ラベル２４が読み取られた非実装薬剤１５の名称と、処方箋薬剤の名称を照合する。もし、薬剤照合ラベル２４が読み取られた非実装薬剤１５の名称と、処方箋薬剤の名称とが一致した場合は、携帯端末２１の表示部２５の表示を、図１１中に示す照合結果５２の中の対応するセル中の分子の数字を１つ大きくする（例えば、０／２から１／２とする）。これが、ステップ６の薬剤照合結果表示工程：Ｓ６に相当する工程である。それと同時に、そのセルの色も変更（本実施形態においては、白色から灰色に変更）する。もし、薬剤照合ラベル２４が読み取られた非実装薬剤１５の名称と、処方箋薬剤の名称とが不一致であった場合、携帯端末２１の表示部２５の表示を、「誤照合」という文字を表示する（図示なし）。
【００６２】
本実施形態においては、全ての非実装薬剤１５の種類（例えば、図１１の場合は、３種類）の照合が終わるまで、非実装薬剤１５の薬剤照合ラベル２４を読み取りと、薬剤照合ラベル２４が読み取られた非実装薬剤１５の名称と、処方箋薬剤の名称との照合とを順次繰り返した（これを、以下、薬剤の種類のみを照合する種別照合と記述し、この結果を種別照合結果と記述する）。
【００６３】
こうすることにより、医療従事者は、トレイ３に準備された非実装薬剤１５が処方箋シート１３上の処方箋薬剤のうち、非実装薬剤１５の種別照合ができ、その後、携帯端末２１に備えられた登録ボタン（図示なし）を押すことによって、このステップ３の薬剤照合工程：Ｓ３を完了する。
【００６４】
次に、（Ｂ）全薬剤照合工程に関して説明する。
【００６５】
ステップ３の照合選択工程：Ｓ３にて、（Ｂ）全薬剤照合工程が選択された場合、医療従事者は、まず、携帯端末２１のバーコードリーダ２８によって、処方箋シート１３上に備えられた処方箋識別ラベル２７から、処方箋を特定するための情報である処方箋特定情報を読み取る。その後、携帯端末２１の制御部３３は、送信部３０より、この処方箋特定情報を薬剤管理サーバ１８へ、自動的に送信する。その後、薬剤管理サーバ１８の制御部３５は、自動的に、薬剤管理データベース２３にアクセスをして、受信した処方箋特定情報に基づいて、処方箋薬剤のうち処方箋薬剤に対応した処方箋薬剤の情報（名称と、それに対応した数量）を検索する。その後、薬剤管理サーバ１８の制御部３５は、自動的に、その処方箋薬剤に対応した処方箋薬剤の情報を携帯端末２１へ送信する。すると、携帯端末２１の制御部３３は、表示部２５上に処方箋薬剤の情報を表示する。図１２は、本発明の実施の形態１における薬剤準備方法の全薬剤照合工程における処方箋薬剤の情報を受信後の携帯端末２１の表示部２５の表示内容の一例を説明する図である。図１２に示すように、携帯端末２１の表示部２５には、処方箋薬剤の情報５１が表示される。
【００６６】
次に、医療従事者は、まず、携帯端末２１のバーコードリーダ２８によって、準備薬剤２０の薬剤照合ラベル２４を読み取り、その読み取られた薬剤照合ラベル２４から、その薬剤照合ラベル２４が読み取られた準備薬剤２０の名称と、処方箋薬剤の名称を照合する。もし、薬剤照合ラベル２４が読み取られた準備薬剤２０の名称と、処方箋薬剤の名称とが一致した場合は、携帯端末２１の表示部２５の表示を、図１２中に示す照合結果５２の中の対応するセル中の分子の数字を１つ大きくする（例えば、０／２から１／２とする）。これが、ステップ６の薬剤照合結果表示工程：Ｓ６に相当する工程である。それと同時に、そのセルの色も変更（本実施形態においては、白色から灰色に変更）する。
もし、薬剤照合ラベル２４が読み取られた準備薬剤２０の名称と、処方箋薬剤の名称とが不一致であった場合、携帯端末２１の表示部２５の表示を、「誤照合」という文字を表示する（図示なし）。
【００６７】
本実施形態においては、全ての準備薬剤２０の種類（例えば、図１２の場合は、８種類）の照合が終わるまで、非実装薬剤１５の薬剤照合ラベル２４を読み取りと、薬剤照合ラベル２４が読み取られた非実装薬剤１５の名称と、処方箋薬剤の名称との照合とを順次繰り返した（これを、以下、薬剤の種類のみを照合する種別照合と記述し、この結果を種別照合結果と記述する）。
【００６８】
こうすることにより、医療従事者は、トレイ３に準備された準備薬剤２０と、処方箋薬剤の種別照合ができ、その後、携帯端末２１に備えられた登録ボタン（図示なし）を押すことによって、このステップ３の薬剤照合工程：Ｓ３を完了する。
【００６９】
なお、本実施形態においては、全ての非実装薬剤１５、もしくは準備薬剤２０の種類の照合である種別照合を行ったが、全ての非実装薬剤１５、もしくは準備薬剤２０の種類の照合のみならず、全ての非実装薬剤１５、もしくは準備薬剤２０の種類と数量を照合する完全照合を行い、その結果である完全照合結果と種別照合結果の両者を、携帯端末２１の表示部２５に表示することもできる。この場合、全ての非実装薬剤１５、もしくは準備薬剤２０のうち、種類と名称の両方の照合が完了した場合（例えば、名称Ａという処方箋薬剤が３本であり、名称Ａという準備薬剤２０が３本照合された場合）、そのセルの色も変更（本実施形態においては、灰色から黄色に変更）する。こうすることにより、その対応する準備薬剤２０の種類と名称の両方の照合が完了したことを、作業をする医療従事者に知らせることができる。
【００７０】
以上が、本実施形態の薬剤準備方法のステップ５の薬剤照合工程：Ｓ５、ステップ６の薬剤照合結果表示工程：Ｓ６である。
【００７１】
［６］−（７）薬剤照合結果送信工程：Ｓ７
次に、ステップ７の薬剤照合結果送信工程：Ｓ７に関して説明する。
【００７２】
ステップ７の薬剤照合結果送信工程：Ｓ７は、医療従事者によって、医療従事者を特定するための医療従事者特定情報と、携帯端末２１を用いて、非実装薬剤照合結果、もしくは、全薬剤照合結果を、その非実装薬剤照合結果、もしくは全薬剤照合結果を保存する薬剤管理データベース２３を保管する薬剤管理サーバ１８に送信する工程である。
【００７３】
本実施形態においては、前述のステップ６の薬剤照合結果表示工程：Ｓ６において、その完了時に携帯端末２１に備えられた登録ボタン（図示なし）を押すことで、薬剤照合結果表示工程を完了し、その後、自動的に、携帯端末２１から薬剤管理サーバ１８に送信されるように構成している。
【００７４】
以上が、本実施形態の薬剤準備方法のステップ７の薬剤照合結果送信工程：Ｓ７である。
【００７５】
［６］−（８）薬剤管理ベータベース更新工程：Ｓ８
次に、ステップ８の薬剤管理ベータベース更新工程：Ｓ８に関して説明する。
【００７６】
ステップ８の薬剤管理ベータベース更新工程：Ｓ８は、薬剤管理サーバ１８は、送信された医療従事者特定情報と、非実装薬剤照合結果、もしくは、全薬剤照合結果とを自動的に受信し、薬剤管理データベース２３を更新する工程である。
【００７７】
ここで、この薬剤管理データベース２３に関して、詳しく説明する。
【００７８】
図１３は、本発明の実施の形態１において、端末装置２２の表示部３８に更新前（薬剤照合前）の薬剤管理データベース２３を表示させた内容の一例を説明する図である。また、図１４は、本発明の実施の形態１において、端末装置２２の表示部３８に更新後（薬剤照合後）の薬剤管理データベース２３を表示させた内容の一例を説明する図である。
図１３に示すように、更新前（薬剤照合前）の薬剤管理データベース２３を、端末装置２２の表示部３８に表示させると、前記入力された処方箋特定情報（図１３中のＡに相当）と、患者特定情報（図１３中のＢに相当）は、表示されるものの、非実装薬剤１５、もしくは、準備薬剤２０との照合を行う第２の医療従事者を特定する医療従事者特定情報（図１３中のＣに相当）と、それらの照合結果である薬剤照合情報（図１３中のＤに相当）とは表示されない。
【００７９】
一方、図１４に示すように、更新後（薬剤照合後）の薬剤管理データベース２３を、端末装置２２の表示部３８に表示させると、前記入力された処方箋特定情報（図１４中のＡに相当）と、患者特定情報（図１４中のＢに相当）のみならず、非実装薬剤１５、もしくは、準備薬剤２０との照合を行う第２の医療従事者を特定する医療従事者特定情報（図１４中のＣに相当）と、それらの照合結果である薬剤照合情報（図１４中のＤに相当）が表示される。
【００８０】
また、図１５は、本発明の実施の形態１において、端末装置２２の表示部３８に表示された薬剤管理データベース２３の情報のうち、図１４中のＦの領域をクリックした場合の端末装置２２の表示部３８に表示される内容を説明する図である。
図１５に示すように、端末装置２２の表示部３８に表示された薬剤管理データベース２３の情報のうち、前記処方箋特定情報をクリック（入力手段の一例）すると、端末装置２２の制御部４１は、入力された前記処方箋特定情報（図１４中のＦに相当）に基づいて、入力された処方箋特定情報（図１５のＡに相当）と、患者特定情報（図１５のＢに相当）と、処方箋薬剤の種類と数量の情報（図１５のＣに相当）と、処方箋薬剤と準備薬剤２０、もしくは非実装薬剤１５のどちらかとの照合結果である薬剤照合情報（図１５のＥに相当）とを表示することができる。
【００８１】
このように、本実施形態においては、医療従事者の各々の照合結果の履歴や、間違いやすい薬剤の特定を行うことができるので、更なる高いレベルでの薬剤管理マネージメントや、医療従事者の薬剤準備業務における作業改善を行うことができ、その結果として、これら薬剤準備方法、及びその方法を用いた薬剤準備システムの更なる利便性の向上を図ることができるのである。
【００８２】
なお、本実施形態においては、ステップ３の照合選択工程：Ｓ３を実施後に、ステップ４の医療従事者特定情報入力工程：Ｓ４を実施したが、このステップ４の医療従事者特定情報入力工程：Ｓ４は、ステップ３の照合選択工程を実施する前に行ってもよい。
【００８３】
また、本実施形態においては、ステップ３の照合選択工程：Ｓ３において、医療従事者によって、携帯端末２１を用いて、非実装薬剤照合工程と、全薬剤照合工程とのどちらの工程を選択するように実施したが、病院や医療従事者の意向によって、予め、非実装薬剤照合工程のみを実施するように設定することもできる。
【００８４】
また、本実施形態において、薬剤照合ラベル２４、処方箋識別ラベル２７としては、バーコードを使用したが、そのたＱＲコード（登録商標）等、薬剤や処方箋を識別できるコードを用いることもできる。
【産業上の利用可能性】
【００８５】
本発明においては、前記処方箋薬剤と前記準備薬剤との照合を行う医療従事者（第２の医療従事者の一例）によって、前記準備薬剤のうち、前記未実装準備薬剤のみと、前記処方箋シートに記述された非実装薬剤とを照合する非実装薬剤照合工程、もしくは、前記準備薬剤と前記処方箋薬剤とを照合する全薬剤照合工程、のどちらの工程を実施するのかを選択することができるので、その非実装薬剤照合工程を選択することができるので、例えば、医療従事者の経験年数等を考慮した上で、全ての前記準備薬剤と前記処方箋薬剤とを照合するのか、あるいは手動で取り揃えられた未実装準備薬剤のみとを照合するのかを、医療従事者毎に決定することができるようになり、その結果として、高いレベルでの薬剤リスクマネージメントができ、かつ医療従事者の負担軽減も図ることができる。
【００８６】
すなわち、高いレベルでの薬剤リスクマネージメントが行え、かつ、高い利便性を有する薬剤準備方法を提供することができる。
【００８７】
従って、薬剤準備方法、及びその薬剤準備方法を実施するための携帯端末、端末装置、薬剤管理データベース、薬剤管理サーバとして活用が期待されるものとなる。
【符号の説明】
【００８８】
１  病院
２  薬剤部
３  トレイ
４  薬剤払出装置準備薬剤
５  薬剤払出装置
６  名前
７  性別
８  年齢
９  患者ＩＤ
１０  病棟
１１  病室
１２  日付
１３  処方箋シート
１４  処方箋薬剤
１５  非実装薬剤
１６  識別情報
１７  診察室
１８  薬剤管理サーバ
１９  端末装置
２０  準備薬剤
２１  携帯端末
２２  端末装置
２３  薬剤管理データベース
２４  薬剤照合ラベル
２５  表示部
２６  入力部
２７  処方箋識別ラベル
２８  バーコードリーダ
３０  送信部
３１  受信部
３２  表示部駆動部
３３  制御部
３４  記憶部
３５  制御部
３６  保管部
３７  送受信部
３８  表示部
３９  表示部駆動部
４０  送受信部
４１  制御部
４２  入力部
４３  処方箋特定情報
４４  患者特定情報
４５  処方箋薬剤の名称
４６  処方箋薬剤の数量
４７  医療従事者特定情報
４８  薬剤照合情報
４９  「５．注射箋薬品照合（非実装）」
５０  「６．注射箋薬品照合（全薬品）」
５１  処方箋薬剤の情報
５２  照合結果
【図１】
2013196094.tif 000003
【図２】
2013196094.tif 000004
【図３】
2013196094.tif 000005
【図４】
2013196094.tif 000006
【図５】
2013196094.tif 000007
【図６】
2013196094.tif 000008
【図７】
2013196094.tif 000009
【図８】
2013196094.tif 000010
【図９】
2013196094.tif 000011
【図１０】
2013196094.tif 000012
【図１１】
2013196094.tif 000013
【図１２】
2013196094.tif 000014
【図１３】
2013196094.tif 000015
【図１４】
2013196094.tif 000016
【図１５】
2013196094.tif 000017